(57)【要約】【課題】単一コード端末が、ポイントツーマルチポイント情報の受信中に、それを中断することなくポイントツーポイント情報を受信できる方法を提供する。【解決手段】ユニバーサル移動体通信システムにおいて、ポイントツーポイントモードとポイントツーマルチポイントモードとを有する端末２に、無線ネットワークコントローラ１からポイントツーポイント情報７５を送信する方法は、端末２が非シグナリングのポイントツーマルチポイントモードであることを無線ネットワークコントローラ１に知らせるためのモード指示を含む端末メッセージ５８、５９を提供し、専用シグナリング接続を確立し、ポイントツーマルチポイント情報３３、５３、７６とポイントツーポイント情報７５を含む組合わされた情報７４をポイントツーポイントモードの端末２に送信し、単一コードの端末２が両方の種類の情報を同時に受信できるようにする。【選択図】      図３
2005039826.tif 000002
【特許請求の範囲】
【請求項１】
無線ネットワークコントローラ（１）からポイントツーポイント情報（７５）を受信するためのポイントツーポイントモードと無線ネットワークコントローラ（１）からポイントツーマルチポイント情報（３３、５３、７６）を受信するためのポイントツーマルチポイントモードとを備えた端末（２）に、無線ネットワークコントローラ（１）からポイントツーポイント情報（７５）を送信する方法において、
端末メッセージ（３６、３７、５８、５９）を端末（２）から無線ネットワークコントローラ（１）に送信するステップと、
端末（２）をポイントツーポイントモードにするためのコントローラメッセージ（３９、４０、６１、６２）を無線ネットワークコントローラ（１）から端末（２）に送信するステップとを含む方法であって、
少なくとも１つの端末メッセージ（５８、５９）は、端末（２）が非シグナリングのポイントツーマルチポイントモードであることを無線ネットワークコントローラ（１）に通知するためのモード指示を含み、
無線ネットワークコントローラ（１）と端末（２）の間に専用のシグナリング接続を確立するステップと、
ポイントツーマルチポイント情報（３３、５３、７６）およびポイントツーポイント情報（７５）を組合せ、その組合わされた情報（７４）をポイントツーポイントモードの端末（２）に送信するステップと
をさらに含むことを特徴とする方法。
【請求項２】
少なくとも１つの端末メッセージ（５８、５９）が、ポイントツーマルチポイント情報（３３、５３、７６）を識別するための識別子を含むことを特徴とする請求項１に記載の方法。
【請求項３】
ポイントツーマルチポイント情報（３３、５３、７６）を無線ネットワークコントローラ（１）から端末（２）に送信するために共通チャネル（３）を使用するステップと、
ポイントツーポイント情報（７５）を無線ネットワークコントローラ（１）から端末（２）に送信するために専用チャネル（４）を使用するステップと、
組合わされた情報（７４）を無線ネットワークコントローラ（１）から端末（２）に送信するために全く同一のチャネル（５）を使用するステップと
を含むことを特徴とする請求項１に記載の方法。
【請求項４】
非シグナリングのポイントツーマルチポイントが、シグナリングを行うことなく共通チャネルを介してポイントツーマルチポイント情報（３３、５３、７６）を受信するためのアイドルモードに対応し、ポイントツーポイントモードが、シグナリング状況下でポイントツーポイント情報（７５）または組合わされた情報（７４）を受信するための非アイドルモードに対応することを特徴とする請求項１に記載の方法。
【請求項５】
さらなるポイントツーポイント情報（７５）が、ポイントツーポイントモードの端末（２）から無線ネットワークコントローラ（１）に送信されることを特徴とする請求項１に記載の方法。
【請求項６】
少なくとも１つの端末メッセージ（５８、５９）が、ユーザのアクションか、または無線ネットワークコントローラ（１）が発信するコントローラページングメッセージ（５６、５７）に応答して端末（２）により生成される接続要求メッセージに対応することを特徴とする請求項１に記載の方法。
【請求項７】
コントローラメッセージ（３９、４０、６１、６２）は、接続をセットアップするための無線データを含むことを特徴とする請求項６に記載の方法。
【請求項８】
少なくとも１つの更なる端末メッセージ（４２、４３、６３、６４）が、無線機能データと、コントローラメッセージ（３９、４０、６１、６２）の受信を知らせる確認応答とを含むことを特徴とする請求項７に記載の方法。
【請求項９】
ポイントツーポイント情報（７５）を無線ネットワークコントローラ（１）から受信するためのポイントツーポイントモードと、ポイントツーマルチポイント情報（３３、５３、７６）を無線ネットワークコントローラ（１）から受信するためのポイントツーマルチポイントモードとを備えた、無線ネットワークコントローラ（１）からポイントツーポイント情報（７５）を受信するための端末（２）において、
端末メッセージ（３６、３７、５８、５９）を無線ネットワークコントローラ（１）に送信する送信器（２２２）と、
端末（２）をポイントツーポイントモードにするためのコントローラメッセージ（３９、４０、６１、６２）を無線ネットワークコントローラ（１）から受信する受信器（２１２）とを備えた端末（２）であって、
少なくとも１つの端末メッセージ（５８、５９）に挿入される、端末（２）が非シグナリングのポイントツーマルチポイントモードであることを無線ネットワークコントローラ（１）に通知するためのモード指示を生成する生成器（２２１）と、
ポイントツーマルチポイント情報（３３、５３、７６）およびポイントツーポイント情報（７５）を含む組合わされた情報（７４）を、ポイントツーポイントモードで無線ネットワークコントローラ（１）から受信する受信器（２１２）と
をさらに含むことを特徴とする端末（２）。
【請求項１０】
無線ネットワークコントローラ（１）からポイントツーポイント情報（７５）を受信するためのポイントツーポイントモードと、無線ネットワークコントローラ（１）からポイントツーマルチポイント情報（３３、５３、７６）を受信するためのポイントツーマルチポイントモードとを備えた端末（２）に、ポイントツーポイント情報（７５）を送信するための無線ネットワークコントローラ（１）において、
端末（２）から端末メッセージ（３６、３７、５８、５９）を受信する受信器（１２２）と、
端末（２）をポイントツーポイントモードにするためのコントローラメッセージ（３９、４０、６１，６２）を端末（２）に送信する送信器（１１２）と、
を備えた無線ネットワークコントローラ（１）であって、
少なくとも１つの端末メッセージ（５８、５９）の中にある、端末（２）が非シグナリングのポイントツーマルチポイントモードであることを無線ネットワークコントローラ（１）に知らせるためのモード指示を検出する検出器（１２１）と、
無線ネットワークコントローラ（１）と端末（２）の間の専用シグナリング接続を確立する確立器（１１１）と、
ポイントツーマルチポイント情報（３３，５３，７６）およびポイントツーポイント情報（７５）を含む組合わされた情報（７４）をポイントツーポイントモードの端末（２）に送信する送信器（１１２）と、
をさらに含むことを特徴とする無線ネットワークコントローラ（１）。
【発明の詳細な説明】
【技術分野】
【０００１】
本発明は、無線ネットワークコントローラからポイントツーポイント情報を受信するためのポイントツーポイントモードと無線ネットワークコントローラからポイントツーマルチポイント情報を受信するためのポイントツーマルチポイントモードとを備えた端末に、無線ネットワークコントローラからポイントツーポイント情報を送信する方法に関し、この方法は、
端末メッセージを端末から無線ネットワークコントローラに送信するステップと、
端末をポイントツーポイントモードにするためのコントローラメッセージを無線ネットワークコントローラから端末に送信してステップとを含む。
【背景技術】
【０００２】
端末は、例えばユニバーサル移動通信サービス（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末に相当する。無線ネットワークコントローラは、例えばユニバーサル移動通信サービス地上無線アクセスネットワーク（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ  Ｔｅｒｒｅｓｔｒｉａｌ  Ｒａｄｉｏ  Ａｃｃｅｓｓ  Ｎｅｔｗｏｒｋ）（の一部）に相当する。ポイントツーポイント情報は、例えば通話の一部をなし、ポイントツーマルチポイント情報は、例えばマルチメディア同報通信マルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ）の一部をなす。
【０００３】
ポイントツーポイントモードおよびポイントツーマルチポイントモードは、例えば、ポイントツーポイント情報およびポイントツーマルチポイント情報の交換に使用されるコード、例えば符号分割多重アクセスシステム（Ｃｏｄｅ  Ｄｉｖｉｓｉｏｎ  Ｍｕｌｔｉｐｌｅ  Ａｃｃｅｓｓ  Ｓｙｓｔｅｍ）などで使用されるコードなどによって定義される。ポイントツーポイントモードでは、ポイントツーポイント情報が専用のチャネルによって単一のユーザに送信される。ポイントツーマルチポイントモードでは、同一のポイントツーマルチポイント情報が、共通のチャネルによって同時に何人かのユーザに送信される。端末メッセージは、無線ネットワークコントローラから発信されるコントローラページングメッセージに応答して端末によって生成される。シグナリングのポイントツーマルチポイントモードの端末は接続されたモードであり、無線ネットワークコントローラとの専用のシグナリング接続の存在を必要とし、非シグナリングのポイントツーマルチポイントモードの端末はアイドルモードであり、無線ネットワークコントローラとのシグナリング接続がないことを必要とする。無線ネットワークコントローラは、端末が接続されたモードであるかどうかは常に知っているが（端末が接続されたモードでない場合は、端末は必然的にアイドルモードである）、端末が非シグナリングのポイントツーマルチポイントモードであるかどうかは知らないことがある（言い換えると、端末がアイドルモードでデータを受信しているかどうかは知らないことがある）。従来技術によれば、２種類の端末が存在する。第１は、ポイントツーポイント情報とポイントツーマルチポイント情報を同時に受信できるマルチコード端末であり、すなわち、この端末は同時にポイントツーポイントモードとポイントツーマルチポイントモードであることができる。第２は、一時に１種類の情報のみを受信できる単一コード端末であり、この端末は、一時に１つのモードのみになれる。
【０００４】
知られている方法は、特に、単一コード端末のために、ポイントツーポイント情報を運ぶ専用チャネルとポイントツーマルチポイント情報を運ぶ共通チャネルを同時に復調できないので不利である。ポイントツーマルチポイント情報を受信している間は、ポイントツーマルチポイント情報の受信を中断（または終了）してはじめてポイントツーポイント情報の受信が可能となる。
【発明の開示】
【発明が解決しようとする課題】
【０００５】
本発明の目的は、特に、単一コード端末が、ポイントツーマルチポイント情報の受信中にそれを中断（または終了）することなくポイントツーポイント情報を受信することを可能にする、上で定義した方法を提供することである。
【課題を解決するための手段】
【０００６】
本発明による方法は、少なくとも１つの端末メッセージは、端末が非シグナリングのポイントツーマルチポイントモードであることを無線ネットワークコントローラに通知するためのモード指示を含み、この方法が、
無線ネットワークコントローラと端末の間に専用のシグナリング接続を確立するステップと、
ポイントツーマルチポイント情報およびポイントツーポイント情報を組合せ、その組合わされた情報をポイントツーポイントモードの端末に送信するステップと
をさらに含むことを特徴とする。
【０００７】
通常、無線ネットワークコントローラは、端末がアイドルモードでポイントツーマルチポイント情報を受信していることを知らない。端末に、端末が非シグナリングのポイントツーマルチポイントモードであることを無線ネットワークコントローラに通知するために少なくとも１つの端末メッセージに挿入するモード指示を生成させることにより、無線ネットワークコントローラは、端末がアイドルモードでデータを受信していることを通知される。専用のシグナリング接続が、共通チャネル上の無線ネットワークコントローラと端末の間に確立される。次に、コントロールメッセージを介して端末をポイントツーポイントモードにすることにより、そして、無線ネットワークコントローラに、ポイントツーマルチポイント情報とポイントツーポイント情報を組合わされた情報に組合わせて、それをポイントツーポイントモードの端末に送信させることにより、単一コード端末であっても、同時に両方のモードであることを要求されずに、同時に両方の種類の情報も受信できる。このことは、マルチコード端末が単一コード端末よりかなり高価なので有利である。
【０００８】
しかし、本発明は単一コード端末に限られるものではなく、マルチコード端末にも使用でき、例えば、ポイントツーポイントモードにおいて、ポイントツーマルチポイント情報とポイントツーポイント情報を含む組合わされた情報の受信中に、ポイントツーマルチポイントモードにおいて、さらにポイントツーマルチポイント情報を受信することが可能になる。
【０００９】
本発明に従った方法の第１の実施形態は、請求項２で定義される。
【００１０】
少なくとも１つの端末メッセージが、ポイントツーマルチポイント情報を識別するための識別子を含み、有利には、数種類のポイントツーマルチポイント情報の間の区別を可能とする。
【００１１】
本発明に従った方法の第２の実施形態は、請求項３で定義される。
【００１２】
共通チャンネルは、セットアップを必要としないチャネルであり、専用チャネルはセットアップを必要とするチャネルであり、そして、全く同一のチャネルが、フォワードチャネルまたはランダムアクセスチャネルなどの共通チャネルにも、専用チャネルにもなり得る。通常、ユニバーサル移動通信ネットワーク（Ｕｎｉｖｅｒｓａｌ  Ｍｏｂｉｌｅ  Ｔｅｌｅｃｏｍｍｕｎｉｃａｔｉｏｎ  Ｎｅｔｗｏｒｋ）は多数の共通チャネルを含み、多くの専用チャネルをセットアップする可能性を提供する。
【００１３】
本発明に従った方法の第３の実施形態は、請求項４で定義される。
【００１４】
通常は、ポイントツーマルチポイントモードが、専用のシグナリングを行うことなく共通チャネルを介してポイントツーマルチポイント情報を受信するためのアイドルモードに対応し、この結果、無線ネットワークコントローラは、端末がポイントツーマルチポイント情報を受信していることを知らない。通常は、ポイントツーポイントモードが、シグナリング状況下でポイントツーポイント情報または組合わされた情報を受信するための非アイドルモードに対応する。
【００１５】
本発明の方法に従った第４の実施形態は、請求項５で定義される。
【００１６】
ポイントツーポイントモードの端末から無線ネットワークコントローラに送信される他更なるのポイントツーポイント情報は、ポイントツーポイント情報と共に、オーディオ通話および／またはビデオ通話などの一部をなす。
【００１７】
本発明に従った方法の第５の実施形態は、請求項６で定義される。
【００１８】
少なくとも１つの端末メッセージが、例えば端末から開始される通話の場合にはユーザアクションに応答して、あるいは、例えば無線ネットワークコントローラを経由して他の端末から開始された通話の場合には無線ネットワークコントローラから発信されたコントローラページングメッセージに応答して、端末により生成される接続要求メッセージに対応する。
【００１９】
本発明に従った方法の第６の実施形態は、請求項７で定義される。
【００２０】
コントローラメッセージは、例えば周波数データ、タイムスロットデータ、コードデータなどの、接続をセットアップするための無線データを含む。
【００２１】
本発明に従った方法の第７の実施形態は、請求項８で定義される。
【００２２】
少なくとも１つの他の端末メッセージは、例えば電力データや雑音データなどの、無線機能データと、コントローラメッセージの受信を知らせる確認応答とを含む。
【００２３】
本発明はさらに、ポイントツーポイント情報を無線ネットワークコントローラから受信するためのポイントツーポイント情報を無線ネットワークコントローラから受信するためのポイントツーポイントモードと、ポイントツーマルチポイント情報を無線ネットワークコントローラから受信するためのポイントツーマルチポイントモードとを備えた、無線ネットワークコントローラからポイントツーポイント情報を受信するための端末に関し、端末は、
端末メッセージを無線ネットワークコントローラに送信する送信機と、
端末をポイントツーポイントモードにするためのコントローラメッセージを無線ネットワークコントローラから受信する受信機とを備える。
【００２４】
本発明による端末は、
少なくとも１つの端末メッセージに挿入される、端末が非シグナリングのポイントツーマルチポイントモードであることを無線ネットワークコントローラに通知するためのモード指示を生成する生成器と、
ポイントツーマルチポイント情報およびポイントツーポイント情報を含む組合わされた情報を、ポイントツーポイントモードで無線ネットワークコントローラから受信する受信器とをさらに含むことを特徴とする。
【００２５】
本発明はさらに、無線ネットワークコントローラからポイントツーポイント情報を受信するためのポイントツーポイントモードと、無線ネットワークコントローラからポイントツーマルチポイント情報を受信するためのポイントツーマルチポイントモードを備えた端末に、ポイントツーポイント情報を送信する無線ネットワークコントローラに関し、無線ネットワークコントローラは、
端末から端末メッセージを受信する受信器と、
端末をポイントツーポイントモードにするためのコントローラメッセージを端末に送信する送信機とを備える。
【００２６】
本発明に従った無線ネットワークコントローラは、
少なくとも１つの端末メッセージの中にある、端末が非シグナリングのポイントツーマルチポイントモードであることを無線ネットワークコントローラに知らせるためのモード指示を検出する検出器と、
無線ネットワークコントローラと端末の間の専用シグナリング接続を確立する確立器と、
ポイントツーマルチポイント情報およびポイントツーポイント情報を含む組合わされた情報をポイントツーポイントモードの端末に送信する送信器と
をさらに備えることを特徴とする。
【００２７】
本発明による端末および本発明による無線ネットワークコントローラの実施形態は、本発明による方法の実施形態に対応している。
【００２８】
本発明は、特に、無線ネットワークコントローラは、ポイントツーポイント情報を端末に送信するときに、端末が同時にポイントツーマルチポイント情報を受信していたかどうかを知らないことがあるとの認識に基づいており、両方の種類の情報を組合せ、その組合わされた情報をポイントツーポイントモードの端末に送信できるようにするためには、無線ネットワークコントローラは、特にそのことを知らされるべきであるとの基本的な考えに基づいている。
【００２９】
本発明は、特に、単一コード端末が、ポイントツーマルチポイント情報の受信中に、それを中断（または終了）することなくポイントツーポイント情報を受信できるようにする方法を提供するという課題を解決するものであり、特に、ポイントツーマルチポイント情報の受信が、もはや中断（または終了）される必要がないので有利である。本発明は、マルチコードの端末でも同様に使用でき、一般に効率を向上させる。
【００３０】
本発明の上記および他の態様は、以下で説明されるいくつかの実施形態を参照することで明らかになるであろう。
【発明を実施するための最良の形態】
【００３１】
図１において、本発明による無線ネットワークコントローラ１（ＲＮＣ１）は、プロセッサシステム１０を含み、プロセッサシステム１０の第１の側は、送信システム１１および受信システム１２に結合され、その第２の側はスイッチ１４に結合され、スイッチ１４は、さらに図示されていないコアネットワークに結合される。送信システム１１および受信システム１２はさらにインタフェース１３に結合され、インタフェース１３はさらにノード６〜９に結合され、ノード６〜９はそれぞれ、例えば１つまたは複数のアンテナを含むノードＢ（一種の基地局）である。送信システム１１は、入力ユニット１１０を介してプロセッサシステム１０に結合されかつ出力ユニット１１３を介してインタフェース１３に結合される送信器１１２を含み、さらに、送信器１１２ならびにユニット１１０および１１３に結合されたコントローラ１１１を含む。受信システム１２は、出力ユニット１２０を介してプロセッサシステム１０に結合され、かつ入力ユニット１２３を介してインタフェース１３に結合された、受信器１２２を含み、さらに、受信器１２２ならびにユニット１２０および１２３に結合されたコントローラ１２１を含む。プロセッサシステム１０はさらに、コントローラ１１１および１２１、ならびにインタフェース１３に接続される。
【００３２】
図１において、本発明による端末２はプロセッサシステム２０を含み、プロセッサシステム２０の第１の側は送信システム２２および受信システム２１に結合され、第２の側はマンマシンインタフェース１４（ｍｍｉ１４）およびメモリ１５に結合される。送信システム２２および受信システム２１は、さらにインタフェース２３に結合され、インタフェース２３はさらに１つまたは複数のアンテナに結合される。送信システム２２は、入力ユニット２２０を介してプロセッサシステム２０に結合されそして出力ユニット２２３を介してインタフェース２３に結合された送信器２２２を含み、そして、送信器２２２ならびにユニット２２０および２２３に結合されたコントローラ２２１を含む。受信システム２１は、出力ユニット２１０を介してプロセッサシステム２０に結合されそして入力ユニット２１３を介してインタフェース２３に結合された受信器２１２を含み、そして、受信器２１２ならびにユニット２２０および２２３に結合されたコントローラ２１１を含む。プロセッサシステム２０はさらに、コントローラ２１１および２２１ならびにインタフェース２３に結合される。
【００３３】
ＲＮＣ１および端末２の機能が図２および図３に即して説明される。
【００３４】
図２に、従来技術の方法のタイミング図が示される。図中、以下の番号は以下の意味を有する。
ブロック３０：  端末２、
ブロック３１：  ノード７、
ブロック３２：  ＲＮＣ１、
矢印３３：  ＲＮＣ１から端末２に流れるポイントツーマルチポイント情報、
ブロック３４：  ＲＮＣ１から端末２へのページング要求メッセージの送信、
ブロック３５：  端末２でのページング要求メッセージの受信、
ブロック３６：  端末２からＲＮＣ１への接続要求メッセージの送信、
ブロック３７：  ＲＮＣ１での接続要求メッセージの受信、
ブロック３８：  ＲＮＣ１でシグナリング接続のために専用チャネルを使用することを決定する、
ブロック３９：  ＲＮＣ１から端末２への接続セットアップメッセージの送信、
ブロック４０：  端末２での接続セットアップメッセージの受信、
矢印４１：  ＲＮＣ１から端末２に流れるポイントツーマルチポイント情報が中断（または終了）された、
ブロック４２：  端末２からＲＮＣ１への接続セットアップ完了メッセージの送信、
ブロック４３：  ＲＮＣ１での接続セットアップ完了メッセージの受信。
【００３５】
従来技術の方法は以下のように動作する。例えば、コアネットワークから発信されたポイントツーマルチポイント情報（ＰＴＭ情報）は、ＲＮＣ１からノード７を経由して端末２に流れる（矢印３３）。さらに、例えばブロードキャストビデオ信号などのＰＴＭ情報は、コアネットワークを経由してスイッチ１４に到達し、次いでプロセッサシステム１０、送信システム１１、およびインタフェース１３を経由してノード７に流れ、ノード７はこのＰＴＭ情報を、共通チャネル３を介して端末２に送信する。さらに、端末２は、アイドルモードに対応する非シグナリングのポイントツーマルチポイントモード（非シグナリングＰＴＭモード）である。ＰＴＭ情報は、端末２のアンテナ、インタフェース２３、および受信システム２１を経由して、端末２のプロセッサシステム２０に到達し、プロセッサシステム２０は、ＰＴＭ情報をｍｍｉ１４を介して表示するためにＰＴＭ情報を処理する。次に、ポイントツーポイント情報（ＰＴＰ情報）を端末２へ送信する要求がＲＮＣ１に到達する。このＰＴＰ情報は、例えば非図示の要求元端末と端末２の間でなされる通話に相当する。この結果、ページング要求メッセージが、ＲＮＣ１から端末２に送信され（ブロック３４）、端末２はこのページング要求メッセージを受信する（ブロック３５）。これに応答して、接続要求メッセージが、端末２からＲＮＣ１に送信され（ブロック３６）、ＲＮＣ１はこの接続要求メッセージを受信する（ブロック３７）。ＲＮＣ１は、このＰＴＰ情報に対して専用チャネル４を使用することを決定し（ブロック３８）、接続セットアップメッセージを端末２に送信する（ブロック３９）。端末２は、この接続セットアップメッセージを受信し（ブロック４０）、そして、応答して、端末２は例えば単一コード端末であるので、両方の種類の情報を同時には受信することができない、つまり、同時にＰＴＭモードでありかつポイントツーポイントモード（ＰＴＰモード）になることはできず、端末２はＰＴＰモード（接続されたモード）になる。このようなＰＴＰおよびＰＴＭモードは、例えば符号分割多重アクセスシステム等に使用されるコードのような、ＰＴＰ情報およびＰＴＭ情報の交換に使用されるコードによって定義される。ＰＴＰモードでは、ＰＴＰ情報は専用チャネルを介して単一のユーザに送信される。ＰＴＭモードでは、同一のＰＴＭ情報が共通チャネルを介して同時に何人かのユーザに送信される。したがって、ＰＴＰモードになったとき、例えばインタフェース２３は共通チャネル３の監視を中断（または終了）し、専用チャネル４の監視を開始する。その結果、ＲＮＣ１から端末２に流れるＰＴＭ情報は中断（または終了）される（矢印４１）。次いで、接続セットアップ完了メッセージが、端末２からＲＮＣ１に送信され（ブロック４２）、ＲＮＣ１によって受信される（ブロック４３）。最後に、ＰＴＰ情報が、ＲＮＣ１から専用チャネル４を介して端末２に送信されることができるようになり、そして、ＰＴＰ情報が双方向通話の一部をなす場合には、別のＰＴＰ情報が専用チャネル４または他のチャネルを介して端末２からＲＮＣ１などに流れる。要するに、この先行技術の方法によれば、ＰＴＰ情報はＰＴＭ情報を中断（または終了）したときのみ送信することができる。
【００３６】
図３に本発明による方法のタイミング図が示される。図中、以下の番号は以下の意味を有する。
ブロック５０：  端末２、
ブロック５１：  ＲＮＣ１、
ブロック５２：  コアネットワーク、
矢印５３：  コアネットワークからＲＮＣ１を経由して端末２に流れるポイントツーマルチポイント情報、
ブロック５４：  コアネットワークからＲＮＣ１へのコアネットワークページング要求メッセージの送信、
ブロック５５：  ＲＮＣ１でのコアネットワークページング要求メッセージの受信、
ブロック５６：  ＲＮＣ１から端末２へのコントローラページング要求メッセージの送信、
ブロック５７：  端末２でのコントローラページング要求メッセージの受信、
ブロック５８：  端末２からＲＮＣ１への接続要求メッセージの送信、
ブロック５９：  ＲＮＣ１での接続要求メッセージの受信、
ブロック６０：  ＲＮＣ１がフォワードアクセスチャネルまたはランダムアクセスチャネルの使用を決定する、
ブロック６１：  ＲＮＣ１から端末２への接続セットアップメッセージの送信、
ブロック６２：  端末２での接続セットアップメッセージの受信、
ブロック６３：  端末２からＲＮＣ１への接続セットアップ完了メッセージの送信、
ブロック６４：  ＲＮＣ１での接続セットアップ完了メッセージ受信、
ブロック６５：  端末２からコアネットワークへの最初の直接送信メッセージ送信、
ブロック６６：  コアネットワークでの最初の直接送信メッセージ受信、
ブロック６７：  コアネットワークからＲＮＣ１への割当て要求メッセージの送信、
ブロック６８：  ＲＮＣ１での割当て要求メッセージ受信、
ブロック６９：  専用接続が端末２とＲＮＣ１の間で確立される、
ブロック７０：  ＲＮＣ１からコアネットワークへの割当て応答メッセージの送信、
ブロック７１：  コアネットワークでの割当て応答メッセージの受信、
ブロック７２：  端末２がポイントツーポイントモードであることおよび端末２が受信中のサービスを指示する、端末２またはＲＮＣ１からコアネットワークへの、確認メッセージの送信、
ブロック７３：  コアネットワークでの確認メッセージの受信、
矢印７４：  ＲＮＣ１から端末２に流れる、ポイントツーマルチポイント情報７６とポイントツーポイント情報７５を含む、組合わされた情報、
矢印７５：  コアネットワークからＲＮＣ１に流れるポイントツーポイント情報、
矢印７６：  コアネットワークからＲＮＣ１に流れるポイントツーマルチポイント情報
【００３７】
本発明による方法は以下のように動作する。コアネットワークから発信されたポイントツーマルチポイント情報（ＰＴＭ情報）は、コアネットワークからＲＮＣ１を経由して端末２に流れる（矢印５３）。さらに、例えばブロードキャストビデオ信号などのＰＴＭ情報は、コアネットワークを介してスイッチ１４に到達し、プロセッサシステム１０、送信システム１１、インタフェース１３を経由して、例えばノード７に流れ、ノード７は、そのＰＴＭ情報を共通チャネル３を介して端末２に送信する。さらに、端末２は非シグナリングＰＴＭモードである。ＰＴＭ情報は、端末２のアンテナ、インタフェース２３、及び受信システム２１を経由して、端末２のプロセッサシステム２０に到達し、プロセッサは、ＰＴＭ情報をｍｍｉ１４によって表示するためにＰＴＭ情報を処理する。次に、ポイントツーポイント情報（ＰＴＰ情報）を端末２に送信する要求がコアネットワークに到達する。このＰＴＰ情報は、例えば非図示の要求元端末と端末２の間でなされる通話に相当する。この結果、コアネットワークページング要求メッセージが、コアネットワークからＲＮＣ１に送信され（ブロック５４）、ＲＮＣ１はこのコアネットワークページング要求メッセージを受信する（ブロック５５）。コントローラページング要求メッセージがＲＮＣ１から端末２に送信され（ブロック５６）、そのコントローラページング要求メッセージは端末２によって受信される（ブロック５７）。それに応答して、接続要求メッセージが端末２からＲＮＣ１に送信され（ブロック５８）、ＲＮＣ１がこの接続要求メッセージを受信する（ブロック５９）。この接続要求メッセージは、端末２がアイドルモードでデータを受信することに対応する非シグナリングＰＴＭモードであることをＲＮＣ１に知らせるためのモード指示を含むので、ＲＮＣ１は次に共通チャネル、例えばフォワードまたはランダムアクセスチャネル５を使用することを決定し（ブロック６０）、そして接続セットアップメッセージを端末２に送信し（ブロック６１）、そのメッセージは端末２によって受信される（ブロック６２）。それに応答して、端末２は、ポイントツーポイントモード（ＰＴＰモード）になる。接続セットアップ完了メッセージが、端末２からＲＮＣ１に送信され（ブロック６３）、ＲＮＣ１によって受信される（ブロック６４）。最初の直接送信メッセージが、端末２からコアネットワークに送信され（ブロック６５）、コアネットワークによって受信される（ブロック６６）。割当て要求メッセージが、コアネットワークからＲＮＣ１に送信され（ブロック６７）、ＲＮＣ１によって受信される（ブロック６８）。専用接続が、端末２とＲＮＣ１の間で確立され（ブロック６９）、そして割当て応答メッセージがＲＮＣ１からコアネットワークに送信され（ブロック７０）、コアネットワークによって受信される（ブロック７１）。端末２がポイントツーポイントモードであること、および端末２が受信中のサービスを指示する確認メッセージが、端末２またはＲＮＣ１からコアネットワークに送信され（ブロック７２）、そしてコアネットワークによって受信される（ブロック７３）。最後に、ポイントツーマルチポイント情報７６とポイントツーポイント情報７５を含む組合わされた情報７４が、ＲＮＣ１から端末２に流れる（矢印７４、７５、７６）。このように情報を組み合わせることは、端末２がすでにＰＴＭ情報を受信中であることが、モード指示によってＲＮＣ１に通知されることによって可能になる。
【００３８】
接続要求メッセージ５８、５９（端末メッセージ）は、好ましくはポイントツーマルチポイント情報３３、５３、７６を識別するための識別子を含む。
【００３９】
共通チャネル３は、従来技術の状況でＰＴＭ情報３３、５３をＲＮＣ１から端末２に送信するために使用され、専用チャネル４は、従来技術の状況でＰＴＰ情報７５をＲＮＣ１から端末２に送信するために使用され、そして、全く同一のチャネル５が組合わされた情報７４をＲＮＣ１から端末２に送信するために使用される。この全く同一のチャネル５は、そのチャネル５を介して組合わされた情報７４が送信できさえすれば、フォワードアクセスチャネルやランダムアクセスチャネルなどの共通チャネルであっても、あるいは専用チャネルであってもよい。
【００４０】
非シグナリングＰＴＭモードは、専用のシグナリングを実施せずに共通チャネル３を介してＰＴＭ情報３３、５３を受信するためのアイドルモードに対応し、ＰＴＰモードは、シグナリング状況下でＰＴＰ情報７５または組合わされた情報７４を受信するための非アイドルモードに対応する。
【００４１】
接続セットアップメッセージ３９、４０、６１、６２（コントローラメッセージ）は、接続をセットアップするための無線データを含む。少なくとも１つの接続セットアップ完了メッセージ４２、４３、６３、６４（他の端末メッセージ）が、無線機能データと、接続セットアップメッセージ３９、４０、６１、６２の受信を確認するための確認応答とを含む。
【００４２】
端末２は、
−端末メッセージ３６、３７、５８、５９を無線ネットワークコントローラ１に送信する送信器２２２と、
−端末２をＰＴＰモードにするためのコントローラメッセージ３９、４０、６１、６２を無線ネットワークコントローラ１から受信する受信器２１２と
を備え、さらに
−少なくとも１つの端末メッセージ３６、３７、５８、５９中に挿入される、端末２がＰＴＭモードであるとともにアイドルモードであることを無線ネットワークコントローラ１に知らせるためのモード指示を生成する生成器２２１と、
−ＰＴＭ情報３３、５３およびＰＴＰ情報７５を含む組合わされた情報７４をＰＴＰモードで無線ネットワークコントローラ１から受信する受信器２１２と、
を備える。
【００４３】
さらに、生成器２２１は、例えば生成器機能を有するコントローラ２２１の一部をなす。代わりに、生成器機能はプロセッサシステム２０内に組み込むこともできる。
【００４４】
ＲＮＣ１は、
−端末２から端末メッセージ３６、３７、５８、５９を受信する受信器１２２と、
−端末２をＰＴＰモードにするためのコントローラメッセージ３９、４０、６１、６２を端末２に送信する送信器１１２と、
を備え、さらに
−少なくとも１つの端末メッセージ３６、３７、５８、５９の中にある、端末２がアイドルモードに対応する非シグナリングＰＴＭモードであることを無線ネットワークコントローラ１に知らせるためのモード指示を検出する検出器１２１と、
−無線ネットワークコントローラ１と端末２の間の専用シグナリング接続を確立する確立器１１１と、
−ＰＴＭ情報３３、５３とＰＴＰ情報７５を含む組合わされた情報７４をＰＴＰモードの端末２に送信する送信器１１２と、
を備える。
【００４５】
さらに、検出器１２１は、例えば、検出機能を有するコントローラ１２１の一部をなす。代わりに、検出機能はプロセッサシステム１０に実装されることもできる。さらに、確立器１１１は、例えば確立機能を有するコントローラ１１１の一部をなす。代わりに、確立機能は、プロセッサシステム１０に実装されることもできる。もちろん、専用シグナリング接続の確立は、送信器１１２および／または受信器１２２を介したメッセージの交換によって実施することもできる。さらに、コントローラ１１１は、ＰＴＭ情報３３、５３およびＰＴＰ情報７５を組合わされた情報７４に組合わせる組合わせ機能を有することもできる。代わりに、組合わせ機能は、プロセッサシステム１０に実装されることもできる。この組合わせることは、上記の外に、コアネットワークですでになされてもよい。組合わせることは、例えば多重化に対応するものであり、端末２は、例えばコントローラ２１１によって、あるいはプロセッサシステム２０に組み込まれて実施される逆多重化などに対応する組合わせ解除機能を含む。
【００４６】
「〜ための（ｆｏｒ）」という表現は、例えば「〜を送信するための」、「〜を受信するための」、「〜にするための」、「〜を知らせるための」などの形で使用されるが、同時であるかどうかを問わず、他の機能も実施されることを排除するものではない。「Ｙに結合されたＸ」、「ＸとＹの間の結合」、「ＸとＹを結合している／結合する」などの表現は、ＸとＹの間に要素Ｚが存在することを排除するものではない。「ＰがＱを含む」、「Ｑを含むＰ」などの表現は、要素Ｒも含まれる／包含されることを排除するものではない。「１つの（ａ，ａｎ）」という用語は、１つまたは複数であり得ることを排除するものではない。
【００４７】
送信する、組合わせる、使用するステップなどは、例えば図３などに示され説明されたように、他のステップを排除するものではない。
【００４８】
本発明は、特に、無線ネットワークコントローラは、ポイントツーポイント情報を端末に送信するときに、端末が同時にポイントツーマルチポイント情報を受信していたかどうかを知らないことがあるとの認識に基づいており、両方の種類の情報を組合せ、その組合わされた情報をポイントツーポイントモードの端末に送信できるようにするために、無線ネットワークコントローラは、特にそのことを知らされるべきであるとの基本的な考えに基づいている。
【００４９】
本発明は、特に、単一コード端末が、ポイントツーマルチポイント情報の受信中に、それを中断（または終了）することなくポイントツーポイント情報を受信できるようにする方法を提供するという課題を解決するものであるり、特に、ポイントツーマルチポイント情報の受信が、もはや中断（または終了）される必要がないので有利である。本発明は、マルチコードの端末でも同様に使用でき、一般に効率を向上させる。
【図面の簡単な説明】
【００５０】
【図１】本発明に従った無線ネットワークコントローラと本発明に従った端末をブロック図の形で示す図である。
【図２】従来技術の方法のタイミングを示す図である。
【図３】本発明に従った方法のタイミングを示す図である。
【符号の説明】
【００５１】
１、３２、５１  無線ネットワークコントローラ
１０、２０  プロセッサシステム
１１、２２  送信システム
１１１、１２１、２１１、２２１  コントローラ
１１２、２２２  送信器
１２、２１  受信システム
１２２、２１２  受信器
２、３０、５０  端末
３  共通チャネル
４  専用チャネル
５  チャネル
６、７、８、９  ノード
【図１】
2005039826.tif 000003
【図２】
2005039826.tif 000004
【図３】
2005039826.tif 000005
【外国語明細書】
2005039826.tif 000006
2005039826.tif 000007
2005039826.tif 000008
2005039826.tif 000009
2005039826.tif 000010
2005039826.tif 000011
2005039826.tif 000012
2005039826.tif 000013
2005039826.tif 000014
2005039826.tif 000015
2005039826.tif 000016
2005039826.tif 000017
2005039826.tif 000018
2005039826.tif 000019
2005039826.tif 000020
2005039826.tif 000021
2005039826.tif 000022
2005039826.tif 000023
2005039826.tif 000024
2005039826.tif 000025
2005039826.tif 000026